(57)【要約】【課題】マナーモードに設定されている場合においても適切な呼気導入を被験者に報せる【解決手段】アルコール検知器３は、運送業務従事者の呼気に含まれるアルコール濃度に応じた濃度信号を出力する。スマートフォン２は、少なくとも濃度信号をアルコール検知器３から有線で入力可能に構成されるとともに、管理装置４へアルコール濃度を無線送信可能に構成され、運送業務従事者によって携帯可能である。スマートフォン２は、自身が振動しつつ音出力が禁止されるマナーモードが選択可能である。そしてスマートフォン２は、報知手段を備え、報知手段は、アルコール検知器３に対し呼気の導入条件が特定条件を満たした場合において、呼気が導入されたことを報せる。そしてスマートフォン２は、マナーモードに設定されていると判断したときに、スマートフォン２を振動させる一方、音出力を禁止されていないとき、報知音を発しさせる。【選択図】図１
2015097340.tif 000002
【特許請求の範囲】
【請求項１】
被験者の呼気に含まれるアルコール濃度に応じた濃度信号を出力するアルコール検知器と、
少なくとも前記濃度信号を前記アルコール検知器から有線または無線で入力可能に構成されるとともに、管理センタへ前記アルコール濃度に関する情報を無線送信可能に構成され、前記被験者によって携帯可能な通信機であって、自身が振動しつつ音出力が禁止されるマナーモードが選択可能な通信機と、
を備えるアルコール検知システムであって、
前記通信機は、
前記アルコール検知器に対し前記呼気の呼気導入条件が予め設定された特定条件を満たした場合において、前記被験者に対して前記呼気が導入されたこと報せる報知手段を有し、
前記報知手段は、
前記マナーモードに設定されているときに、前記通信機を振動させる一方、
前記通信機の音出力が禁止されていないときに、少なくとも報知音を発しさせる
ことを特徴とするアルコール検知システム。
【請求項２】
前記報知手段は、
前記呼気が導入されたことを報せるため、予め設定された報知画像を、前記通信機に備える表示装置に表示する
ことを特徴とする請求項１に記載のアルコール検知システム。
【請求項３】
請求項１または請求項２に記載のアルコール検知システムと、
前記管理センタと、を更に備え、該管理センタにて、少なくとも前記被験者の前記呼気に含まれる前記アルコール濃度に関する情報を管理する
ことを特徴とする管理システム。
【請求項４】
コンピュータを、請求項１または請求項２に記載のアルコール検知システムの前記報知手段として機能させるためのプログラム。
【発明の詳細な説明】
【技術分野】
【０００１】
本発明は、呼気に含まれるアルコールの濃度を測定するアルコール検知システム、管理システムおよびプログラムに関する。
【背景技術】
【０００２】
従来、車両を運転する運転者の呼気に含まれるアルコールの濃度を測定するアルコール濃度測定装置を車室内に設置し、運転者が酒気帯び状態であるか否かを検知することができるように構成されたシステムが知られている（例えば、特許文献１を参照）。
【０００３】
アルコール濃度を測定するには、被験者がアルコール濃度測定装置へ導入する呼気の圧力を所定の圧力以上に維持する必要がある。そして、特許文献１に記載のシステムでは、アルコール濃度測定装置への適切な呼気導入を被験者に報せるために、呼気の圧力を、ダッシュボードに設置された表示ユニットの表示部に表示したり、表示ユニットのスピーカによって音声で通知したりしている。
【０００４】
また、近年では、持ち運びの便利な小型のアルコールセンサを運転者に所持させると共に、管理者との連絡用に所持している携帯電話を用いて、管理者にアルコールセンサで検知したアルコール濃度を送信することができるシステムが知られている（例えば、特許文献２を参照）。
【０００５】
この特許文献２に記載のシステムでは、被験者がアルコールセンサに呼気を吹きかけることでアルコール濃度の測定データを取得し、この測定データを携帯電話の電子メール機能を用いて管理者に送信している。
【先行技術文献】
【特許文献】
【０００６】
【特許文献１】特許第４３２３５６４号公報
【特許文献２】特許第３８４７２９５号公報
【発明の概要】
【発明が解決しようとする課題】
【０００７】
特許文献１のシステムを考慮して、特許文献２のシステムにおいても、アルコールセンサへの適切な呼気導入を被験者に報せるために、アルコールセンサ又は携帯電話に設けられたスピーカから報知音を発しさせることが考えられる。特に、携帯電話には、相手からの電話等の着信時に、着信音を発しさせる機能が標準に装備されており、この機能を、報知音を発しさせることにも用いることで、アルコールセンサにスピーカ等の報知機能を持たせることなく、アルコールセンサへの適切な呼気導入を被験者に報せることが容易に可能となる。
【０００８】
ところで、携帯電話の着信音が周囲の迷惑となる状況（例えば、電車内や公共施設内等）がある。このような状況下においても、相手からの電話等の着信を報せるために、携帯電話には、音出力が禁止され、その代わりに自身が振動するマナーモード機能を有する。
【０００９】
しかしながら、このような携帯電話がマナーモードに設定されている場合においては、報知音の出力も禁止となるため、アルコールセンサに適切な呼気導入がなされたかどうかを被験者に報せることが困難となる。
【００１０】
本発明は、こうした問題に鑑みてなされたものであり、マナーモードに設定されている場合においても適切な呼気導入を被験者に報せるアルコール検知システム、管理システムおよびプログラムを提供することを目的とする。
【課題を解決するための手段】
【００１１】
上記目的を達成するためになされた本発明は、アルコール検知器と、通信機とを備えるアルコール検知システムである。
アルコール検知器は、被験者の呼気に含まれるアルコール濃度に応じた濃度信号を出力する。通信機は、少なくとも濃度信号をアルコール検知器から有線または無線で入力可能に構成されるとともに、管理センタへアルコール濃度に関する情報を無線送信可能に構成され、被験者によって携帯可能である。
【００１２】
さらに、通信機は、自身が振動しつつ音出力が禁止されるマナーモードが選択可能である。
そして、通信機は、報知手段を有する。
【００１３】
この報知手段は、アルコール検知器に対し呼気の呼気導入条件が予め設定された特定条件を満たした場合において、被験者に対して呼気が導入されたこと報せる。
さらに、報知手段は、マナーモードに設定されているときに、通信機を振動させる一方、通信機の音出力が禁止されていないときに、少なくとも報知音を発しさせる。
【００１４】
このように構成されたアルコール検知システムでは、アルコール検知器が出力したアルコール濃度に応じた濃度信号を通信機へ有線または無線で入力させることができると共に、通信機によりアルコール濃度に関する情報を管理センタへ無線送信することができる。このため、管理センタから遠く離れた遠隔地にいる被験者が酒気帯び状態であるか否かを、管理センタ側で判断することができる。
【００１５】
なお、本発明の「濃度信号」とは、アルコール濃度に応じた出力信号だけでなく、アルコール濃度自身をも含む。なお、前者の場合には、アルコール検知器にて測定した濃度信号を通信機に出力し、通信機内にてアルコール濃度を算出し、これを管理センタに送信している。他方、後者の場合には、アルコール検知器内でアルコール濃度を算出し、このアルコール濃度を、通信機を介して管理センタに送信している。
【００１６】
また、本発明の「アルコール濃度に関する情報」としては、アルコール濃度の濃度値のほか、アルコール濃度に基づいて被験者が飲酒したか否かを示す判定情報や、複数設定されたアルコール濃度範囲レベルのいずれのレベルに属するかの情報などが挙げられる。
【００１７】
また、通信機は、アルコール検知器に対し呼気導入条件が特定条件を満たすと、被験者に対して呼気が導入されたことを報せる報知手段を有する。これにより、被験者は、アルコール検知器に適切に呼気が導入されていることを認識することができる。
【００１８】
なお、本発明の「呼気導入条件が特定条件を満たす」とは、例えば、「アルコール検知素子の出力信号が所定の出力信号を超える」ことや、「呼気の圧力が所定の圧力を超える」ことや、「呼気の流量が所定の流量を超える」ことや、「呼気中の二酸化炭素の濃度が所定の濃度を超える」こと、等を指す。
【００１９】
さらに、通信機は被験者によって携帯可能であるため、被験者は、アルコールの濃度を測定するときに、通信機を把持した状態または通信機を身に付けた状態で、自身の呼気をアルコール検知器に導入することができる。このため、被験者は、アルコール検知器に適切に呼気を導入しやすくなる。
【００２０】
そして、本発明のアルコール検知システムおいては、通信機に、自身が振動しつつ音出力が禁止されるマナーモードが選択可能となっており、報知手段がマナーモードに設定されているときに、通信機を振動させている。これにより、周囲の迷惑となる状況下であって通信機がマナーモードに設定されていたとしても、アルコール検知器に適切な呼気導入がなされていることを被験者に報せることが可能となる。
【００２１】
他方、通信機の音出力が禁止されていないときには、報知手段は、少なくとも通信機から報知音を発しさせている。これにより、アルコール検知器に適切な呼気導入がなされていることを報知音にて被験者に報せることが可能となる。なお、通信機の音出力が禁止されていないときに、報知手段としては、報知音のみを出力しても良いし、報知音に加えて通信機を振動させても良い。
【００２２】
また本発明のアルコール検知システムでは、報知手段が、呼気が導入されたことを報せるため、報知画像を、通信機に備える表示装置に表示するようにするとよい。これにより、報知音または振動だけでなく、更に表示を加えて、呼気が導入されたことを報知することができる。このため、アルコール検知器に呼気が導入されているか否かを被験者が判断できないという事態の発生を更に抑制し、被験者に適切な呼気導入を報せることを更に行い易くすることができる。
【００２３】
また本発明の管理システムでは、本発明のアルコール検知システムと、管理センタと、を更に備え、管理センサにて、少なくとも被験者の呼気に含まれるアルコール濃度に関する情報を管理するとよい。これにより、複数の通信機から無線送信されるアルコール濃度に関する情報を管理センタで取得することができ、それぞれ異なる遠隔地にいる複数の被験者が酒気帯び状態であるか否かを管理センタで一元管理することができる。
【００２４】
また本発明のプログラムは、コンピュータを本発明のアルコール検知システムの報知手段として機能させる。
本発明のプログラムによって制御されるコンピュータは、本発明のアルコール検知システムの一部を構成することができ、本発明のアルコール検知システムと同様の作用および効果を得ることができる。
【００２５】
本発明のプログラムは、コンピュータが読み取り可能な記録媒体に記憶させ、記憶させたプログラムをコンピュータに実行させることにより利用することができる。なお、記録媒体は、持ち運び可能なものであってもよいし、コンピュータに予め組み込まれたものであってもよい。また、本発明のプログラムは、ネットワークを介してコンピュータにロードされるものであってもよい。
【図面の簡単な説明】
【００２６】
【図１】管理システム１の概略構成を示す図である。
【図２】スマートフォン２とアルコール検知器３と管理装置４の構成を示すブロック図である。
【図３】管理情報取得処理を示すフローチャートである。
【図４】検査処理の前半部分を示すフローチャートである。
【図５】検査処理の後半部分を示すフローチャートである。
【図６】スマートフォン２が表示する画像Ｇ０１，Ｇ０２，Ｇ０３を示す図である。
【図７】スマートフォン２が表示する画像Ｇ０４，Ｇ０５，Ｇ０６を示す図である。
【図８】スマートフォン２が表示する画像Ｇ０７，Ｇ０６を示す図である。
【図９】スマートフォン２が表示する画像Ｇ０８，Ｇ０９を示す図である。
【図１０】スマートフォン２が表示する画像Ｇ１０，Ｇ１１を示す図である。
【発明を実施するための形態】
【００２７】
以下に本発明の実施形態を図面とともに説明する。
本発明が適用された実施形態の管理システム１は、運送会社の運送車両を運転して業務を行う運送業務従事者についてその勤怠と運転の可否とを管理するために設けられ、図１に示すように、スマートフォン２と、アルコール検知器３と、管理装置４とを備える。
【００２８】
スマートフォン２は、携帯電話の通信網を介して音声通話およびデータ通信を行う機能を有する。また、スマートフォン２は、運送業務従事者毎に割り当てられており、運送業務従事中の運送業務従事者によって携帯される。
【００２９】
アルコール検知器３は、筐体１１に形成された呼気吹込口１２から呼気が導入される。筐体１１内には、呼気中のアルコール濃度に応じて出力が変化するアルコール検知素子３１（図２参照）が内蔵されている。また、アルコール検知器３は、運送車両毎あるいは運送業務従事者に割り当てられている。
【００３０】
管理装置４は、スマートフォン２から送信されるメールを受信することにより、運送業務従事者の出退勤を示す情報や運転業務従事者のアルコール濃度に関する情報を取得し、運送業務従事者毎に管理するための情報を作成する。
【００３１】
スマートフォン２は、図２に示すように、表示部２１と、操作入力部２２と、位置検出部２３と、撮影部２４と、通信部２５と、音声出力部２６と、振動発生部２７と、入出力部２８と、制御部２９とを備える。
【００３２】
表示部２１は、筐体１３（図１を参照）の前面に設置された表示装置１４（図１を参照）を備え、表示装置１４の表示画面に各種画像を表示する。
操作入力部２２は、表示装置１４の表示画面上に設置されたタッチパネルと、表示装置１４の表示画面の周囲に設置されたスイッチとを備える。そして操作入力部２２は、使用者がタッチパネルおよびスイッチを介して行った入力操作を特定するための入力操作情報を出力する。
【００３３】
位置検出部２３は、ＧＰＳ（Global Positioning System）受信機を備え、ＧＰＳ衛星から受信した信号に基づいて、スマートフォン２の位置を検出する。
撮影部２４は、筐体１３の前面に設置された前面カメラ１５（図１を参照）と、筐体１３の背面に設置された背面カメラ（不図示）とを備える。
【００３４】
通信部２５は、携帯電話の通信網を介して、管理装置４との間でデータ通信を行う。
音声出力部２６は、電話の着信音など各種音声を出力する。
振動発生部２７は、振動モータを備え、電話の着信時等に振動モータを駆動することにより、スマートフォン２の筐体１３を振動させる。
【００３５】
入出力部２８は、有線で接続された外部機器との間でデータの入出力を行う。
制御部２９は、操作入力部２２、位置検出部２３、撮影部２４、通信部２５および入出力部２８からの入力に基づいて各種処理を実行し、表示部２１、撮影部２４、通信部２５、音声出力部２６、振動発生部２７および入出力部２８を制御する。
【００３６】
アルコール検知器３は、アルコール検知素子３１と、ヒータ３２と、入出力部３３と、制御部３４とを備える。
アルコール検知素子３１は、金属酸化物半導体（例えば酸化スズ）を材料として形成された半導体素子を備える。この半導体素子は、周囲のアルコール濃度に応じて電気抵抗値が変動し、これによりアルコール検知素子３１は、アルコール濃度に応じた出力信号を出力することができる。
【００３７】
ヒータ３２は、アルコール濃度に応じた出力信号を出力可能な動作温度までアルコール検知素子３１を加熱する。
入出力部３３は、有線で接続された外部機器（スマートフォン２）との間でデータの入出力を行う。
【００３８】
制御部３４は、アルコール検知素子３１および入出力部３３からの入力に基づいて各種処理を実行し、アルコール検知素子３１、ヒータ３２および入出力部３３を制御する。
管理装置４は、表示部４１と、操作入力部４２と、データ記憶部４３と、通信部４４と、制御部４５とを備える。
【００３９】
表示部４１は、表示装置１６（図１を参照）を備え、表示装置１６の表示画面に各種画像を表示する。
操作入力部４２は、キーボード１７（図１を参照）とマウス１８（図１を参照）を備える。そして操作入力部４２は、使用者がキーボード１７とマウス１８を介して行った入力操作を特定するための入力操作情報を出力する。
【００４０】
データ記憶部４３は、各種データを記憶するための記憶装置である。
通信部４４は、携帯電話の通信網を介して、スマートフォン２との間でデータ通信を行う。
【００４１】
制御部４５は、操作入力部４２および通信部４４からの入力に基づいて各種処理を実行し、表示部４１、データ記憶部４３および通信部４４を制御する。
このように構成された管理システム１において、スマートフォン２の制御部２９は、管理装置４にて運送業務従事者を管理するための情報を取得する管理情報取得処理を実行する。この管理情報取得処理は、管理情報取得処理を実行するために予め設けられたアプリケーションプログラムを使用者の入力操作により起動することで実行される。
【００４２】
この管理情報取得処理が実行されると、制御部２９は、図３に示すように、まずＳ１０にて、表示装置１４に個人ＩＤ入力画像Ｇ０１（図６（ａ）を参照）を表示させる。個人ＩＤ入力画像Ｇ０１は、スマートフォン２を操作している運転業務従事者の個人ＩＤを入力するための個人ＩＤ入力テキストボックスＤ１１と、ログインボタンＤ１２と、終了ボタンＤ１３とを含む。
【００４３】
そしてＳ２０にて、個人ＩＤ入力画像Ｇ０１に対する入力操作が行われたか否かを判断する。ここで、入力操作が行われていない場合には（Ｓ２０：ＮＯ）、Ｓ２０の処理を繰り返すことにより、個人ＩＤ入力画像Ｇ０１に対する入力操作が行われるまで待機する。そして、入力操作が行われると（Ｓ２０：ＹＥＳ）、Ｓ３０にて、個人ＩＤ入力テキストボックスＤ１１に個人ＩＤが入力されたか否かを判断する。ここで、個人ＩＤが入力されていない場合には（Ｓ３０：ＮＯ）、終了ボタンＤ１３が操作されたと判断し、管理情報取得処理を終了する。一方、個人ＩＤが入力されると（Ｓ３０：ＹＥＳ）、Ｓ４０にて、表示装置１４にメニュー画像Ｇ０２（図６（ｂ）を参照）を表示させる。メニュー画像Ｇ０２は、出勤ボタンＤ２１、退勤ボタンＤ２２、検査ボタンＤ２３、疲労度チェックボタンＤ２４、管理設定ボタンＤ２５およびログアウトボタンＤ２６を含む。
【００４４】
そしてＳ５０にて、メニュー画像Ｇ０２に対する入力操作が行われたか否かを判断する。ここで、入力操作が行われていない場合には（Ｓ５０：ＮＯ）、Ｓ５０の処理を繰り返すことにより、メニュー画像Ｇ０２に対する入力操作が行われるまで待機する。そして、入力操作が行われると（Ｓ５０：ＹＥＳ）、Ｓ６０にて、出勤ボタンＤ２１が操作されたか否かを判断する。ここで、出勤ボタンＤ２１が操作された場合には（Ｓ６０：ＹＥＳ）、Ｓ７０にて、出勤確認処理を実行する。具体的には、まず、スマートフォン２を操作している運転業務従事者（以下、操作者ともいう）に対して自身の顔を前面カメラ１５で撮影するように指示する指示画像と、前面カメラ１５による現時点の撮影画像とを表示する。その後、操作者が、スマートフォン２の表示画面に表示されている撮影画像を確認しながら操作入力部２２のスイッチを操作する。これによりスマートフォン２は、スイッチが操作された時点で前面カメラ１５が撮影した画像データを取得する。その後にスマートフォン２は、撮影された顔画像と、操作者の個人ＩＤと、撮影が行われた時刻と、撮影が行われた場所を示す位置とが含まれた出勤確認情報を作成し、この出勤確認情報を電子メールで管理装置４へ送信する。そして、出勤確認情報の送信が完了すると、出勤確認処理を終了して、Ｓ４０に移行する。
【００４５】
一方、出勤ボタンＤ２１が操作されていない場合には（Ｓ６０：ＮＯ）、Ｓ８０にて、退勤ボタンＤ２２が操作されたか否かを判断する。ここで、退勤ボタンＤ２２が操作された場合には（Ｓ８０：ＹＥＳ）、Ｓ９０にて、退勤確認処理を実行する。具体的には、Ｓ７０の出勤確認処理と同様に、前面カメラ１５で操作者の顔を撮影し、撮影された顔画像と、操作者の個人ＩＤと、撮影が行われた時刻と、撮影が行われた場所を示す位置とが含まれた退勤確認情報を電子メールで管理装置４へ送信する。そして、退勤確認情報の送信が完了すると、退勤確認処理を終了して、Ｓ４０に移行する。
【００４６】
一方、退勤ボタンＤ２２が操作されていない場合には（Ｓ８０：ＮＯ）、Ｓ１００にて、疲労度チェックボタンＤ２４が操作されたか否かを判断する。ここで、疲労度チェックボタンＤ２４が操作された場合には（Ｓ１００：ＹＥＳ）、Ｓ１１０にて、疲労度確認処理を実行する。疲労度確認処理では、ゲーム等により、操作者の疲労度を測定する。そして、操作者の疲労度を測定した後、疲労度確認処理を終了して、Ｓ４０に移行する。
【００４７】
一方、疲労度チェックボタンＤ２４が操作されていない場合には（Ｓ１００：ＮＯ）、Ｓ１２０にて、管理設定ボタンＤ２５が操作されたか否かを判断する。ここで、管理設定ボタンＤ２５が操作された場合には（Ｓ１２０：ＹＥＳ）、Ｓ１３０にて、管理設定処理を実行する。具体的には、操作者のメールアドレスやメールアカウントの入力、管理装置４へのメール設定等を行う。そして、この入力や設定等が終了すると、管理設定処理を終了して、Ｓ４０に移行する。
【００４８】
一方、管理設定ボタンＤ２５が操作されていない場合には（Ｓ１２０：ＮＯ）、Ｓ１４０にて、検査ボタンＤ２３が操作されたか否かを判断する。ここで、検査ボタンＤ２３が操作された場合には（Ｓ１４０：ＹＥＳ）、Ｓ１５０にて、検査処理を実行する。一方、検査ボタンＤ２３が操作されていない場合には（Ｓ１４０：ＮＯ）、ログアウトボタンＤ２６が操作されたと判断し、管理情報取得処理を終了する。
【００４９】
次に、Ｓ１５０で実行される検査処理の手順を説明する。
検査処理が実行されると、制御部２９は、図４および図５に示すように、まずＳ２１０にて、表示装置１４に飲酒検査画像Ｇ０３（図６（ｃ）を参照）を表示させる。飲酒検査画像Ｇ０３は、「飲酒検査をします。アルコール検知器を接続して下さい。」と記載された指示画像Ｄ３１と、開始ボタンＤ３２と、メニューボタンＤ３３とを含む。
【００５０】
そしてＳ２２０にて、アルコール検知器３がスマートフォン２に接続されたか否かを判断する。ここで、アルコール検知器３がスマートフォン２に接続されていない場合には（Ｓ２２０：ＮＯ）、Ｓ２２０の処理を繰り返すことにより、アルコール検知器３がスマートフォン２に接続されるまで待機する。そして、アルコール検知器３がスマートフォン２に接続されると（Ｓ２２０：ＹＥＳ）、Ｓ２３０にて、アルコール検知素子３１とヒータ３２への通電を指示する信号を、入出力部２８を介してアルコール検知器３へ出力する。これにより、アルコール検知器３の制御部３４は、アルコール検知素子３１とヒータ３２への通電を行っていない場合に、アルコール検知素子３１とヒータ３２への通電を開始する。
【００５１】
次に、Ｓ２４０にて、酒気帯びフラグをリセットする。その後、Ｓ２５０にて、開始ボタンＤ３２が操作されたか否かを判断する。ここで、開始ボタンＤ３２が操作された場合には（Ｓ２５０：ＹＥＳ）、Ｓ２８０に移行する。一方、開始ボタンＤ３２が操作されてない場合には（Ｓ２５０：ＮＯ）、Ｓ２６０にて、メニューボタンＤ３３が操作されたか否かを判断する。ここで、メニューボタンＤ３３が操作された場合には（Ｓ２６０：ＹＥＳ）、Ｓ２７０にて、アルコール検知素子３１とヒータ３２への通電終了を指示する信号を入出力部２８を介してアルコール検知器３へ出力して、Ｓ４０に移行する。これにより、アルコール検知器３の制御部３４は、アルコール検知素子３１とヒータ３２への通電を行っている場合に、アルコール検知素子３１とヒータ３２への通電を終了する。
【００５２】
一方、メニューボタンＤ３３が操作されていない場合には（Ｓ２６０：ＮＯ）、Ｓ２５０およびＳ２６０の処理を繰り返すことにより、開始ボタンＤ３２またはメニューボタンＤ３３が操作されるまで待機する。
【００５３】
そしてＳ２８０に移行すると、表示装置１４に注意喚起画像Ｇ０４（図７（ａ）を参照）を２秒間表示させる。注意喚起画像Ｇ０４は、アルコール検査を行う際の注意事項を示す画像である。
【００５４】
注意喚起画像Ｇ０４の表示が終了すると、Ｓ２９０にて、アルコール検知器３のウォームアップが完了して検査が開始されるまでの残り時間（以下、準備残時間という）が４秒以下であるか否かを判断する。なお、アルコール検知器３の制御部３４は、上記準備残時間を示す残時間信号がある場合に出力する。そして制御部２９は、この残時間信号が示す準備残時間に基づいてＳ２９０の処理を行う。
【００５５】
ここで、準備残時間が４秒を超えている場合には（Ｓ２９０：ＮＯ）、Ｓ２９０の処理を繰り返すことにより、準備残時間が４秒以下になるまで待機する。
一方、準備残時間が４秒以下である場合には（Ｓ２９０：ＹＥＳ）、Ｓ３００にて、表示装置１４に撮影位置調整画像Ｇ０５（図７（ｂ）を参照）を表示させる。撮影位置調整画像Ｇ０５は、「顔とアルコール検知器を枠内に入れて下さい。」と記載された指示画像Ｄ５１と、準備残時間を示す準備残時間画像Ｄ５２と、前面カメラ１５により撮影された現時点の画像を示す撮影画像Ｄ５３とを含む。
【００５６】
その後Ｓ３１０にて、準備残時間が０秒になったか否かを判断する。ここで、準備残時間が０秒になっていない場合には（Ｓ３１０：ＮＯ）、Ｓ３００に移行する。一方、準備残時間が０秒になった場合には（Ｓ３１０：ＹＥＳ）、Ｓ３２０にて、表示装置１４に検査画像Ｇ０６（図７（ｃ）を参照）を表示させる。検査画像Ｇ０６は、「検査を開始します。」と記載された指示画像Ｄ６１と、前面カメラ１５により撮影された現時点の画像を示す撮影画像Ｄ６２とを含む。
【００５７】
そしてＳ３３０にて、アルコール検知器３から呼気検知信号が入力したか否かを判断する。なお呼気検知信号は、アルコール検知器３に対し呼気の導入条件（例えば、アルコール検知器３の出力信号が所定の出力信号を超えた）が予め設定された特定条件を満たしたことをアルコール検知器３が検知した場合に制御部３４が入出力部３３を介して出力する信号である。
【００５８】
ここで、呼気検知信号が入力していない場合には（Ｓ３３０：ＮＯ）、Ｓ３４０にて、アルコール検知器３からタイムアウト信号が入力したか否かを判断する。なおタイムアウト信号は、アルコール検査の開始からあらかじめ設定されたタイムアウト時間が経過した場合に制御部３４が入出力部３３を介して出力する信号である。
【００５９】
ここで、タイムアウト信号が入力していない場合には（Ｓ３４０：ＮＯ）、Ｓ３３０に移行する。一方、タイムアウト信号が入力した場合には（Ｓ３４０：ＹＥＳ）、Ｓ３５０にて、表示装置１４にやり直し画像Ｇ０７（図８（ａ）を参照）を表示させる。やり直し画像Ｇ０７は、「呼気を確認できませんでした。やりなおして下さい。」と記載された指示画像Ｄ７１と、やり直しボタンＤ７２と、キャンセルボタンＤ７３とを含む。
【００６０】
そしてＳ３６０にて、やり直し画像Ｇ０７に対する入力操作が行われたか否かを判断する。ここで、入力操作が行われていない場合には（Ｓ３６０：ＮＯ）、Ｓ３６０の処理を繰り返すことにより、やり直し画像Ｇ０７に対する入力操作が行われるまで待機する。そして、入力操作が行われると（Ｓ３６０：ＹＥＳ）、Ｓ３７０にて、やり直しボタンＤ７２が操作されたか否かを判断する。ここで、やり直しボタンＤ７２が操作された場合には（Ｓ３７０：ＹＥＳ）、Ｓ２１０に移行する。一方、やり直しボタンＤ７２が操作されていない場合には（Ｓ３７０：ＮＯ）、キャンセルボタンＤ７３が操作されたと判断し、Ｓ３８０にて、アルコール検知素子３１とヒータ３２への通電終了を指示する信号を、入出力部２８を介してアルコール検知器３へ出力して、Ｓ４０に移行する。これにより、アルコール検知器３の制御部３４は、アルコール検知素子３１とヒータ３２への通電を終了する。
【００６１】
またＳ３３０にて、アルコール検知器３から呼気検知信号が入力した場合には（Ｓ３２０：ＹＥＳ）、Ｓ３９０にて、スマートフォン２がマナーモードに設定されているか否かを判断する（図５参照）。ここで、マナーモードに設定されていない場合には（Ｓ３９０：ＮＯ）、Ｓ４００にて、スマートフォン２の音出力が可能であるか否かを判断する。ここで、スマートフォン２の音出力可能な場合には（Ｓ４００：ＹＥＳ）、Ｓ４１０にて、呼気が導入したことを報知するために予め設定された報知音を音声出力部２６に出力させる。さらにＳ４２０にて、表示装置１４に、検査画像Ｇ０６において呼気導入画像Ｄ６３（図８（ｂ）を参照）を追加して表示させる。他方、Ｓ４００にて、スマートフォン２の音出力が禁止されている場合には（Ｓ４００：ＮＯ）、Ｓ４２０にて、表示装置１４に、検査画像Ｇ０６において呼気導入画像Ｄ６３（図８（ｂ）を参照）を表示させる。
【００６２】
そしてＳ４３０にて、報知音が出力されてから予め設定された報知時間（例えば２秒）が経過したか否かを判断する。ここで、報知時間が経過していない場合には（Ｓ４３０：ＮＯ）、Ｓ４３０の処理を繰り返すことにより、報知時間が経過するまで待機する。一方、報知時間が経過すると（Ｓ４３０：ＹＥＳ）、Ｓ４４０にて、音声出力部２６に報知音の出力を停止させる。さらにＳ４５０にて、表示装置１４に、検査画像Ｇ０６の呼気導入画像Ｄ６３を消去させて、Ｓ５１０に移行する。
【００６３】
またＳ３９０にて、マナーモードに設定されている場合には（Ｓ３９０：ＹＥＳ）、Ｓ４６０にて、振動発生部２７にてスマートフォン２を振動させる。さらにＳ４７０にて、表示装置１４に、検査画像Ｇ０６において呼気導入画像Ｄ６３（図８（ｂ）を参照）を追加して表示させる。
【００６４】
そしてＳ４８０にて、報知音が出力されてから上記報知時間が経過したか否かを判断する。ここで、報知時間が経過していない場合には（Ｓ４８０：ＮＯ）、Ｓ４８０の処理を繰り返すことにより、報知時間が経過するまで待機する。一方、報知時間が経過すると（Ｓ４８０：ＹＥＳ）、Ｓ４９０にて、振動発生部２７にスマートフォン２の振動を停止させる。さらにＳ５００にて、表示装置１４に、検査画像Ｇ０６の呼気導入画像Ｄ６３を消去させて、Ｓ５１０に移行する。
【００６５】
そしてＳ５１０に移行すると、アルコール検知器３からスマートフォン２に、アルコール濃度に応じた濃度信号が入力したか否かを判断する。なお、本実施形態では、アルコール検知器３の制御部３４は、アルコール検知素子３１が検出した出力信号に基づいてアルコール濃度（濃度信号）を算出し、算出したアルコール濃度を入出力部３３を介して出力する。
【００６６】
ここで、濃度信号が入力していない場合には（Ｓ５１０：ＮＯ）、Ｓ５１０の処理を繰り返すことにより、濃度信号が入力するまで待機する。そして、濃度信号が入力すると（Ｓ５１０：ＹＥＳ）、Ｓ５２０にて、撮影部２４に前面カメラ１５による撮影を実行させ、前面カメラ１５が撮影した画像データを取得する。さらにＳ５３０にて、位置検出部２３から最新の位置情報を取得する。
【００６７】
そしてＳ５４０にて、送信情報を作成する。送信情報は、撮影画像データと、酒気帯びの有無を示す酒気帯び情報と、個人ＩＤと、検査時刻と、検査場所と、アルコール濃度と、スマートフォン２の端末ＩＤと、アルコール検知器３の検知器ＩＤとを含む。
【００６８】
次に、Ｓ５５０にて、上記酒気帯び情報に基づいて、酒気帯びを検知したか否かを判断する。ここで、酒気帯びを検知していない場合には（Ｓ５５０：ＮＯ）、Ｓ５７０にて、表示装置１４に、送信内容確認画像Ｇ０８（図９（ａ）を参照）を２秒間表示させ、Ｓ５８０に移行する。送信内容確認画像Ｇ０８は、送信情報の内容を操作者に確認させるための画像であり、酒気帯びを検知していないときの画像である。
【００６９】
また、Ｓ５５０にて、酒気帯びを検知した場合には（Ｓ５５０：ＹＥＳ）、Ｓ５６０にて、酒気帯びフラグをセットし、Ｓ５７０にて、表示装置１４に、送信内容確認画像Ｇ０９（図９（ｂ）を参照）を２秒間表示させ、Ｓ５８０に移行する。送信内容確認画像Ｇ０９は、送信情報の内容を操作者に確認させるための画像であり、酒気帯びを検知したときの画像である。
【００７０】
その後Ｓ５８０にて、通信部２５に、送信情報を電子メールにて管理装置４へ送信させる。
そして、送信情報の送信が完了すると、Ｓ５９０にて、表示装置１４に、送信完了画像Ｇ１０（図１０（ａ）を参照）または送信完了画像Ｇ１１（図１０（ｂ）を参照）を表示させる。送信完了画像Ｇ１０は、酒気帯びフラグがセットされていない場合に表示され、「管理装置への送信に成功しました。不要であればアルコール検知器を外して下さい。」と記載された指示画像Ｄ１０１と、検査者変更ボタンＤ１０２と、メニューボタンＤ１０３とを含む。また送信完了画像Ｇ１１は、酒気帯びフラグがセットされている場合に表示され、「管理装置への送信に成功しました。不要であればアルコール検知器を外して下さい。」と記載された指示画像Ｄ１１１と、検査者変更ボタンＤ１１２と、やり直しボタンＤ１１３と、メニューボタンＤ１１４とを含む。
【００７１】
そしてＳ６００にて、送信完了画像Ｇ１０，Ｇ１１に対する入力操作が行われたか否かを判断する。ここで、入力操作が行われていない場合には（Ｓ６００：ＮＯ）、Ｓ６００の処理を繰り返すことにより、送信完了画像Ｇ１０，Ｇ１１に対する入力操作が行われるまで待機する。そして、入力操作が行われると（Ｓ６００：ＹＥＳ）、Ｓ６１０にて、メニューボタンＤ１０３，Ｄ１１４が操作されたか否かを判断する。
【００７２】
ここで、メニューボタンＤ１０３，Ｄ１１４が操作された場合には（Ｓ６１０：ＹＥＳ）、Ｓ６２０にて、アルコール検知素子３１とヒータ３２への通電終了を指示する信号を入出力部２８を介してアルコール検知器３へ出力して、Ｓ４０に移行する。これにより、アルコール検知器３の制御部３４は、アルコール検知素子３１とヒータ３２への通電を終了する。
【００７３】
一方、メニューボタンＤ１０３，Ｄ１１４が操作されていない場合には（Ｓ６１０：ＮＯ）、Ｓ６３０にて、酒気帯びフラグがセットされているか否かを判断する。ここで、酒気帯びフラグがセットされていない場合には（Ｓ６３０：ＮＯ）、検査者変更ボタンＤ１０２が操作されたと判断し、Ｓ１０に移行する。
【００７４】
一方、酒気帯びフラグがセットされている場合には（Ｓ６３０：ＹＥＳ）、Ｓ６４０にて、やり直しボタンＤ１１３（図１０（ｂ）を参照）が操作されたか否かを判断する。ここで、やり直しボタンＤ１１３が操作された場合には（Ｓ６４０：ＹＥＳ）、Ｓ２１０に移行する。
【００７５】
一方、やり直しボタンＤ１１３が操作されていない場合には（Ｓ６４０：ＮＯ）、検査者変更ボタンＤ１１２が操作されたと判断し、Ｓ１０に移行する。
このように構成されたアルコール検知システムは、スマートフォン２と、アルコール検知器３とを備える。
【００７６】
アルコール検知器３は、運送業務従事者の呼気に含まれるアルコール濃度に応じた濃度信号を出力する。スマートフォン２は、少なくとも濃度信号をアルコール検知器３から有線で入力可能に構成されるとともに、管理装置４へアルコール濃度に関する情報を無線送信可能に構成され、運送業務従事者によって携帯可能である。
【００７７】
さらに、スマートフォン２は、自身が振動しつつ音出力が禁止されるマナーモードが選択可能である。
そしてスマートフォン２は、報知手段（Ｓ４１０、Ｓ４２０、Ｓ４６０、Ｓ４７０）を備え、報知手段は、アルコール検知器３に対し呼気の導入条件が予め設定された特定条件を満たした場合において、運送業務従事者に対して呼気が導入されたことを報せる。
【００７８】
そしてスマートフォン２は、マナーモードに設定されていると判断したときに（Ｓ３９０：ＹＥＳ）、スマートフォン２を振動させる（Ｓ４６０）。一方、スマートフォン２が、音出力を禁止されていないとき（Ｓ４００：ＹＥＳ）、報知音を発しさせる（Ｓ４１０）。
【００７９】
このように構成されたアルコール検知システムでは、アルコール検知器３が出力したアルコール濃度に応じた濃度信号をスマートフォン２へ有線で入力させることができると共に、スマートフォン２によりアルコール濃度に関する情報を管理装置４へ無線送信することができる。このため、管理装置４から遠く離れた遠隔地にいる運送業務従事者が酒気帯び状態であるか否かを、管理装置４側で判断することができる。
【００８０】
またスマートフォン２は、アルコール検知器３に対し、呼気導入条件が特定条件を満たすと、運送業務従事者に対して呼気が導入されたことを報せる報知手段を有する。これにより、運送業務従事者は、アルコール検知器３に適切に呼気が導入されていることを認識することができる。
【００８１】
さらに、スマートフォン２は運送業務従事者によって携帯可能であるため、運送業務従事者は、アルコールの濃度を測定するときに、スマートフォン２を把持した状態またはスマートフォン２を身に付けた状態で、自身の呼気をアルコール検知器３に導入することができる。このため、運送業務従事者は、アルコール検知器３に適切に呼気を導入しやすくなる。
【００８２】
そして、スマートフォン２に自身が振動しつつ音出力が禁止されるマナーモードが選択可能となっており、報知手段がマナーモードに設定されているときに、スマートフォン２を振動させている。これにより、周囲の迷惑となる状況下であってスマートフォン２がマナーモードに設定されていたとしても、アルコール検知器３に適切な呼気導入がなされていることを運転業務従事者に報せることが可能となる。
【００８３】
他方、スマートフォンの音出力が禁止されていないときには、報知手段は、少なくともスマートフォン２から報知音を発しさせている。これにより、アルコール検知器３に適切な呼気導入がなされていることを報知音にて運転業務従事者に報せることが可能となる。
【００８４】
またスマートフォン２は、報知手段が、呼気が導入されたことを報せるため、呼気導入画像Ｄ６３を表示装置１４の表示画面に表示する（Ｓ４２０，Ｓ４７０）。これにより、報知音または振動だけでなく、更に表示を加えて、呼気が導入されたことを報知することができる。このため、アルコール検知器３に呼気が導入されているか否かを運送業務従事者が判断できないという事態の発生を更に抑制し、運送業務従事者による適切な呼気導入を報せることを更に行い易くすることができる。
【００８５】
また管理システム１は、アルコール検知システムと、管理装置４を更に備え、管理装置４にて、少なくとも運転業務従事者の呼気に含まれるアルコール濃度に関する情報を管理する。これにより、複数のスマートフォン２から無線送信されるアルコール濃度に関する情報を管理装置４で取得することができ、それぞれ異なる遠隔地にいる複数の運送業務従事者が酒気帯び状態であるか否かを管理装置４で一元管理することができる。
【００８６】
以上説明した実施形態において、管理システム１は本発明における管理システム、スマートフォン２は本発明における通信機、管理装置４は本発明における管理センタ、スマートフォン２及びアルコール検知器３がアルコール検知システム、Ｓ４１０，Ｓ４２０，Ｓ４６０，Ｓ４７０の処理は本発明における報知手段、表示装置１４は本発明における表示装置である。
【００８７】
以上、本発明の一実施形態について説明したが、本発明は上記実施形態に限定されるものではなく、本発明の技術的範囲に属する限り種々の形態を採ることができる。
例えば上記実施形態では、スマートフォン２とアルコール検知器３とが有線で通信可能に接続されるものを示したが、スマートフォン２とアルコール検知器３とが無線で通信可能に接続されるようにしてもよい。
【００８８】
また、上記実施形態では、通信機として、スマートフォン２を用いていたが、携帯電話の通信網を介して音声通話およびデータ通信を行う機能を有する携帯電話端末や、さらには、無線通信機能を用いて通信可能な通信機（例えば、タブレット端末）であってもよい。
【００８９】
また、上記実施形態では、アルコール検知素子３１が検出した出力信号を基に、アルコール検知器３に設けた制御部３４にてアルコール濃度を算出しているが、アルコール検知素子３１が検出した出力信号を、入出力部３３を介してスマートフォン２に出力し、スマートフォン２の制御部２９にてアルコール濃度を算出してもよい。
【００９０】
また、上記実施形態では、スマートフォン２よりアルコール濃度を管理装置４に無線送信していたが、アルコール濃度に基づいて被験者が飲酒したか否かを示す判定情報や、複数設定されたアルコール濃度範囲レベルのいずれのレベルに属するかの情報などをスマートフォン２より管理装置４に無線送信してもよい。
【００９１】
また、上記実施形態では、Ｓ４１０にて、呼気が導入したことを報知するために予め設定された報知音を音声出力部２６に出力させていた。しかしながら、Ｓ４１０にて報知音を音声出力部２６に出力させると同時に、振動発生部２７にてスマートフォン２を振動させてもよい。
【符号の説明】
【００９２】
１…管理システム、２…スマートフォン、３…アルコール検知器、４…管理装置、２１…表示部、２２…操作入力部、２３…位置検出部、２４…撮影部、２５…通信部、２６…音声出力部、２７…振動発生部、２８…入出力部、２９…制御部、３１…アルコール検知素子、３２…ヒータ、３３…入出力部、３４…制御部、４１…表示部、４２…操作入力部、４３…データ記憶部、４４…通信部、４５…制御部
【図１】
2015097340.tif 000003
【図２】
2015097340.tif 000004
【図３】
2015097340.tif 000005
【図４】
2015097340.tif 000006
【図５】
2015097340.tif 000007
【図６】
2015097340.tif 000008
【図７】
2015097340.tif 000009
【図８】
2015097340.tif 000010
【図９】
2015097340.tif 000011
【図１０】
2015097340.tif 000012